(57)【要約】【課題】付属品を収容したトレイ内部に格納しつつ、携帯性に優れた携帯用小物入れに関する。【解決手段】ミシンの用の付属品を収容し持ち運びが可能な携帯用小物入れにおいて、付属品を収納する剛性のある収容トレイ２と、収容トレイ３を格納する柔軟性のある格納ケースと、を備える。収容トレイ３は、付属品を載置する載置部１０と、載置部１０から突出する持ち手部１１とを備える。格納ケース２は、格納した収容トレイ３を押圧する押圧部材８を有し、押圧部材８に持ち手部１１が嵌る凹部９を設ける。格納ケース２に収容トレイを格納した場合、押圧部材８が弾性変形し収容トレイ３を押圧することで、収容トレイ３の位置を固定する。【選択図】図１
2015084904.tif 000002
【特許請求の範囲】
【請求項１】
剛性を有する収容トレイと、前記収容トレイを格納する柔軟性を有する格納ケースと、を備え、
前記収容トレイは、ミシン用の付属品を載置する載置部と、前記収容トレイの上面から突出する持ち手部とを有し、
前記格納ケースは、格納した前記収容トレイを押圧する押圧部材を有し、この押圧部材には、前記持ち手部分が嵌る凹部を設けられたことを特徴とする携帯用小物入れ。
【請求項２】
前記格納ケースの内寸における高さが、前記収容トレイの高さより短くなるように形成されたことを特徴とする請求項１に記載の携帯用小物入れ。
【請求項３】
前記収容トレイを複数重ね合わせたことを特徴とする請求項１または請求項２に記載の携帯用小物入れ。
【請求項４】
前記収容トレイは、それぞれ段差と支持部とを有し、
１つの収容トレイの段差と、他の収容トレイの支持部とが係合することを特徴とする請求項３に記載の携帯用小物入れ。
【請求項５】
前記格納ケースには、
３つの側面と、１つ側面の一部を連通するようにファスナーが設けられ、
前記ファスナーを開閉することにより、前記格納ケースを開放状態と格納状態とを切替えることを特徴とする請求項１乃至４の何れか１項に記載の携帯用小物入れ。
【請求項６】
前記押圧部材は、前記格納ケースに対して着脱可能であることを特徴とする請求項１乃至５の何れか１項に記載の携帯用小物入れ。
【発明の詳細な説明】
【技術分野】
【０００１】
本発明は、ミシンの付属品を収容し持ち運びが可能な携帯用小物入れに関する。
【背景技術】
【０００２】
近年、ミシンは、多機能化・高機能化が進み、それに伴って、付属品の数が増加している。例えば、綺麗な縫い目を実現するために、布の種類や厚さに応じて針や押さえを選択する。そのため、付属品として複数の針や押さえが用意されている。また、縫う布の色や種類に合わせて、上糸や下糸を交換することも頻繁に行われる。この場合も付属品として多数の糸巻やボビンがあると便利である。さらに、近年では、刺繍用の図柄データが与えられ、その図柄データに基づいて刺繍を行うことが可能なミシンも知られている。刺繍を行う際には、布を張る刺繍枠が必要であり、この刺繍枠も付属品となる。このように、ミシンには、多数の付属品が用意されており、ユーザが必要な付属品を必要な時に使用できるように付属品を収容しておく必要がある。
【０００３】
ミシンの付属品は、ミシンのカバーやミシンの本体部分に収容することもできる。しかし、ミシンの小型化に伴って、ミシンのカバーやミシンの本体部のスペースが縮小し、付属品を収容するスペースの確保が難しくなってきた。そこで、ミシンとは別体の小物入れを用意することが増えている。このような小物入れとしては、剛性のあるトレイに付属品を収容し、そのトレイを剛性のあるケース内に収容したもの（例えば、特許文献１参照）が知られている。
【先行技術文献】
【特許文献】
【０００４】
【特許文献１】実登3036986号公報
【発明の概要】
【発明が解決しようとする課題】
【０００５】
ミシンと別体に付属品用の小物入れを用意する場合、その小物入れはミシンと共に持ち運んで使用するため、携帯性も考慮に入れる必要がある。その点、剛性のあるケースからなる小物入れは、外からの加わる力によりケースが破損する恐れがある。
【０００６】
また、ケース内部にトレイを収容するため、トレイとケースの一部に加工して係合部を形成する。収容時にはそれらの係合部を嵌め合わせることで、ケース内でトレイが動かないように工夫する必要がある。しかしながら、トレイとケースの係合部を嵌め合わせる時には、ケースとトレイ共に剛性があるため、係合部は一か所でしか噛みあわず、トレイをケース内に収容する際に手間がかかっていた。
【０００７】
さらに、ケースとトレイは剛性を有するため、ケースに対して衝撃が加わると、その衝撃が内部のトレイに直接伝わってしまう。それにより、トレイに収容されている付属品が収容場所から飛び出してしまうという問題もある。
【０００８】
本発明は、上記のような従来技術の問題点を解決するために提案されたもので、剛性を有する収容トレイと柔軟性のある格納ケースを組み合わせることで内部に格納した収容トレイの出し入れを容易にしつつ、柔軟性のある格納ケース内で剛性のある収容トレイが内部で位置ずれしないような携帯性に優れた携帯用小物入れを提供することである。
【課題を解決するための手段】
【０００９】
上記の目的を達成するために、本発明の携帯用小物入れは、剛性を有する収容トレイと、前記収容トレイを格納する柔軟性を有する格納ケースと、を備え、前記収容トレイは、ミシン用の付属品を載置する載置部と、前記収容トレイの上面から突出する持ち手とを有し、前記格納ケースは、格納した前記収容トレイを押圧する押圧部材を有し、この押圧部材には、前記持ち手部分が嵌る凹部を設けられたことを特徴とする。
【００１０】
前記格納ケースの内寸における高さが、前記収容トレイの高さより短くなるようにしても良い。
【００１１】
前記収容トレイを複数重ね合わせて使用しても良い。
【００１２】
前記収容トレイは、それぞれ段差と支持部とを有し、１つの収容トレイの段差部と、他の収容トレイの支持部とが係合するような構成としても良い。
【００１３】
前記格納ケースには、３つの側面と、１つ側面の一部を連通するようにファスナーが設けられ、前記ファスナーを開閉することにより、前記格納ケースを開放状態と格納状態とを切替えても良い。
【００１４】
前記押圧部材は、前記格納ケースに対して着脱可能であっても良い。
【発明の効果】
【００１５】
本発明によれば、柔軟性のある格納ケースと剛性のある収容トレイとを組み合わせることで、内部に格納した収容トレイの出し入れを容易にしつつ、格納ケースの押圧部材により、収容トレイの位置を格納ケース内で保持することができる。これにより、付属品を安全に運ぶことができる携帯用小物入れを提供することができる。
【図面の簡単な説明】
【００１６】
【図１】本発明の第１実施形態の携帯用小物入れの構成を示す斜視図である。
【図２】本発明の第１実施形態の格納ケースを示す正面図である。
【図３】本発明の第１の実施形態の格納ケースを示す右側面図である。
【図４】本発明の第１の実施形態の格納ケースを示す背面図である。
【図５】本発明の第１の実施形態の格納ケースを示す平面図である。
【図６】本発明の第１の実施形態の格納ケースを示す底面図である。
【図７】本発明の第１の実施形態の収容トレイを示す斜視図である。
【図８】本発明の第１の実施形態の収容トレイを示す正面図である。
【図９】本発明の第１の実施形態の収容トレイを示す平面図である。
【図１０】本発明の第１の実施形態の収容トレイの段差部分の拡大図である。
【図１１】本発明の第１の実施形態において収容トレイを複数使用した場合の斜視図である。
【図１２】本発明の第１の実施形態において格納ケースに収容トレイを格納しない場合の断面図である。
【図１３】本発明の第１の実施形態において格納ケースに収容トレイを格納した場合の断面図である。
【発明を実施するための形態】
【００１７】
以下、本発明に係る携帯用小物入れの実施形態について、図１乃至９を参照しつつ詳細に説明する。以下では、各図において重複する符号の説明は省略する。
【００１８】
［１．第１の実施形態］
本実施形態の携帯用小物入れは、付属品を収容する載置部１０を備えた収容トレイ３と、収容トレイ３を出し入れ可能に格納する格納ケース２とからなる。収容トレイ３は、剛性を有する部材からなり、格納ケースは柔軟性を有する部材からなる。さらに、格納ケース２の内部には押圧部材８が設けられ、収容トレイ３を格納時には、収容トレイ３の上面に押圧部材８が押圧される。これにより、収容トレイ３の位置が格納ケース２内でズレることを防止する。
【００１９】
［１−１．構成］
図１乃至７に示すように、携帯用小物入れ１は、格納ケース２と、収容トレイ３を有する。図１は開放状態の携帯用小物入れ１を示す斜視図である。図２乃至図６は、閉じた状態の格納ケース２を示す図であり、図２は正面図、図３は右側面図、図４は背面図、図５は平面図、図６は底面図である。また、図７乃至９は収容トレイ３の構成を示す図であり、図７は斜視図、図８は正面図、図９は平面図である。
【００２０】
（格納ケース２）
格納ケース２は柔軟性を有し、内部に収容トレイ３を格納する。柔軟性のある格納ケース２に収容トレイ３を格納することで、格納ケース２内での収容トレイ３の位置ずれが防止される。また、格納ケース２に対して衝撃が加わった際の収容トレイ３への衝撃を低減する。格納ケース２には、携帯性向上のためにユーザの持ち手となる持ち手４が設けられる。この格納ケース２の素材としては、ナイロン、シリコン、熱可塑性ポリウレタンエラストマーなどを使用することができる。
【００２１】
格納ケース２は、格納する収容トレイ３の形状に合わせた形状を有する。本実施形態の格納ケース２は、図２乃至図６に示すように６つの面からなる略直方体である。
【００２２】
格納ケース２には、格納状態と開放状態の切替えを行う蓋５が設けられる。この蓋５を開閉することにより、格納ケース２は、収容トレイ３を内部に格納した格納状態と、収容トレイを出し入れする際の開放状態の切替えを行う。本実施形態では、格納ケース２の側面に設けられた線ファスナー６により、格納ケース２の上部を蓋５とする。
【００２３】
つまり、線ファスナー６を格納ケース２の３つの側面と、１つの側面の一部に跨って設ける。格納ケース２を格納状態から開放状態にする場合には、スライダー７を移動させ、線ファスナー６のエレメントの噛み合わせを外す。これにより、格納ケース２の上部を、格納ケース２から取り外す。また、格納ケース２を開放状態から格納状態にする場合には、スライダー７を移動させ、線ファスナー６のエレメントを噛み合わせる。これにより、取り外した格納ケース２の上部を格納ケース２に取り付ける。この際、格納ケース２より取り外される格納ケース２の一部分が蓋５となる。
【００２４】
蓋５には、押圧部材８が設けられる。この押圧部材８は、外部からの応力により弾性変形が可能な部材である。押圧部材８としては、ナイロンや他の合成繊維でできた部材の内部に、スポンジやウレタンなどを詰めたものを用いることができる。
【００２５】
押圧部材８は、蓋５の収容トレイ３の上面と対向する側に設置される。押圧部材８は、格納ケース２に収容トレイ３を格納した場合に、収容トレイ３の上面と接触するように設置される。押圧部材８は、格納ケース２内に収容トレイ３を収容した場合に弾性変形し、収容トレイ３に対して押圧力を加える。押圧部材８の厚さは、格納ケース２が格納状態のときに収容トレイ３に一定量の圧力を加えることができる厚さがあれば良い。
【００２６】
押圧部材８には、凹部９が設けられる。この凹部９は、格納ケース２が格納状態のときに収容トレイ３の持ち手部分１１が嵌る位置に設けられる。
【００２７】
（格納ケース２のサイズ）
格納ケース２は、内部に収納トレイを格納しやすいサイズ且つ、格納状態の時に押圧部材が弾性変形するサイズとする。格納ケース２の内寸の横幅及び奥行は、収容トレイ３の横幅及び奥行より長い。この長い部分が格納ケース２に収容トレイ３を出し入れする際に遊びとなる。一方、格納ケース２の内寸の高さは、複数重ねた収容トレイ３の高さより短い。そのため、格納ケース２が格納状態の時に、収容トレイ３により押圧部材８が弾性変形する。これにより、収容トレイ３に対して押圧力が働く。
【００２８】
（収容トレイ３）
収容トレイ３は、剛性のあるトレイである。本実施形態の収容トレイ３は略直方体であり図７乃至図９に示す形状である。収容トレイ３は、付属品を載せて置く載置部１０を有する。また、収容トレイ３には、持ち手部分１１が設けられ、ユーザが持ち運び易くなっている。この収容トレイ３は、複数段積み重ねて使用しても良い。この収容トレイ３の素材としては、ポリプロピレン、ポリエチレン、その他のプラスチック素材を使用することができる。
【００２９】
載置部１０は、載せ置く付属品の形状に合わせて形成され溝である。この溝は、上方に向けて開口する。図９に示すように、収容トレイ３には、形状の異なる溝が複数設けられる。ユーザは、付属品をこの溝に押し込んで嵌めることにより付属品を固定する。そのため、ある載置部１０に対しては、その載置部１０と対応する形状の付属品を嵌めて固定する。
【００３０】
収容トレイ３の上面の中心部分には、載置部１０の表面方向に突出する持ち手部分１１が設けられる。持ち手部分１１は逆Ｕ字形状であり、ユーザが収容トレイ３を持ち上げる時に片手で摘まみやすい。つまり、収容トレイ３の上面から、表面方向に向けて２つの直方体が立設され、その２つの直方体の上面を繋ぐように、トレイ３の上面と平行かつ空間を介して１つの直方体が設けられている。
【００３１】
収容トレイ３の中心部分とは、収容トレイ３を表面方向から見た平面おける中心である。収容トレイ３には、複数の載置部１０が設けられるため、重量が均一でない場合があるが、その差を無視すれば、収容トレイ３を上面方向から見た平面における中心は、重心と一致する。
【００３２】
収容トレイ３は、支持部１２を有する。支持部１２は、載置部１０の上面の縁から収容トレイ３の下方（図８中：下方向、以下、収容トレイ３の背面方向とする）に向かって延びるように形成されている。載置部１０の溝は背面方向に突出しており、支持部１２の長さは載置部１０の溝の突出する長さより長く形成されている。また、支持部１２は一定の厚さを有し、この厚さにより載置部１２を支持する強度を保つ。
【００３３】
収容トレイ３の表面部分には、収容トレイ３を複数段重ねて使用する場合に、他の収容トレイ３の支持部１２と係合する段差１３が設けられる。図１０に段差１３の拡大図を示す。段差１３は、収容トレイ３の上面の縁部分に設けられ、表面部分に対して垂直な垂直壁１４と、収容トレイ３の上面より下方、且つ収容トレイ３の上面部分と平行に設けられた底面１５を有する。垂直壁１４は他の収容トレイ３の支持部１２の内周面の一部と接触し、底面１５は他の収容トレイ３の支持部１２の下面を支える。段差１３は、他の収容トレイ３の支持部１２と共に、２つのトレイを係合する際の係合部となる。
【００３４】
本実施形態では３つの同じ大きさの収容トレイ３を重ね合わせる。この重ね合わせた複数の収容トレイ３の形状は、略直方体である。各収容トレイ３は、それぞれに持ち手部分１１を備える構造である。そのため、とのような順番で収容トレイ３を組み合わせたとしても、重ね合わせた収容トレイ３の形状は、図１１に示すように、３つのトレイにより形成される。格納ケース２には、この複数の収容トレイ３を組み合わせたものを格納する。
【００３５】
［１−２．作用効果］
このように構成された本実施形態の携帯用小物入れ１では、柔軟性のある格納ケース２と剛性のある収容トレイ３との組み合わせにより、以下の作用効果を奏する。
（１）収容トレイ３の出し入れが容易となる。
（２）収容トレイ３の格納ケース２内の位置が固定される。
（３）格納ケース２に対して加わった衝撃が加わった際の収容トレイ３への衝撃が低減される。
【００３６】
（１）について
本実施形態の携帯用小物入れにおいては、剛性のある収容トレイ３を柔軟性のある格納ケース２に格納する。そのため、収容トレイ３を格納ケース２に出し入れする場合に、格納ケース２の形状が変形、若しくは一部が伸びるため、収容トレイ３をスムーズに出し入れすることができる。
【００３７】
さらに、収容トレイ３の横幅及び奥行の長さを、格納ケース２の内寸における横幅及び奥行の長さより短くしている。そのため、格納ケース２に収容トレイ３を格納した際に隙間が生じる。その隙間が遊びとなり、収容トレイ３が格納ケース２に引っかかることなくスムーズに出し入れすることができる。
【００３８】
（２）について
本実施形態の携帯用小物入れにおいては、格納ケース２は収容トレイ３を格納時には、押圧部材８からの押圧力により収容トレイ３が格納ケース２に対して押圧される。したがって、収容トレイ３の位置を固定することができる。本実施形態の携帯用小物入れでは、格納ケース２から収容トレイ３を出し入れしやすいように遊びを設けているが、押圧部材８により収容トレイ３の格納ケース２内での位置を固定できる。
【００３９】
図１２は、収容トレイ３を格納していない状態の格納ケース２の断面を示した図である。図１３は、収容トレイ３を格納した状態の格納ケース２の断面を示した図である。図１１に示すように、内部に収容トレイ３を格納していない場合の格納ケース２においては、押圧部材８に対しては、応力が加わらないため、押圧部材は弾性変形しない。
【００４０】
これに対して、図１３に示すように、内部に収容トレイ３を格納した場合の格納ケース２においては、押圧部材８に対して収容トレイ３からの応力が加わり押圧部材８が弾性変形する。そして、弾性変形した押圧部材８から収容トレイ３に対して、格納ケース２の高さ方向（図１２中：上下方向）の押圧力が加わる。収容トレイ３に加わった押圧力は、支持部１２を介して他の収容トレイ３に伝達する。したがって、最終的には、収容トレイ３の支持部１２の下面と格納ケース２の底面との接触部分に伝わる。
【００４１】
以上により、収容トレイ３の押圧部材８と接触する部分と、支持部１２と格納ケース２との接触部分には、摩擦力が生じる。この摩擦力により、格納ケース２の横方向及び奥行方向の力が加わった場合でも収容トレイ３の位置を固定できる。格納ケース２の高さ方向の力が加わった場合には、押圧部材８がその力を吸収することで、収容トレイ３の位置が固定される。
【００４２】
さらに、収容トレイ３には、中心部分に持ち手部分１１が設けられる。この持ち手部分１１は、載置部１０の上面の中心に設けられているため、ユーザは片手で持ち手部分１１を持ち、収容トレイを持ち上げることができる。この持ち手部分１１は、ユーザが収容トレイ３を持ち上げる場合の持ち手となるだけでなく、収容トレイ３を格納ケース２に格納した場合に、突っ張り棒の役目を果たす。すなわち、押圧部材８には、持ち手部分１１と嵌り合う凹部９が設けられる。持ち手部分１１と凹部９が嵌り合うことで、格納ケース２の横方向及び奥行方向の大きな力が加わった場合にでも、収容トレイ３が格納ケース２内で移動することを防止することができる。
【００４３】
また、収容トレイ３は複数積み重なっているが、各収容トレイ３は、段差１３と支持部１２により係合しているため、格納ケース２の横方向及び奥行方向の力及び格納ケース２の高さ方向の力が加わった場合でも、収容トレイ３同士の位置がずれることはない。
【００４４】
（３）について
本実施形態の携帯用小物入れ１においては、格納ケース２を柔軟性のある素材で形成している。そのため、外部から衝撃が加わった際には、格納ケース２自体がクッションの役割を果たすため、格納した収容トレイ３に対して衝撃が伝わることを低減する。収容トレイ３では、付属品を溝に嵌めて固定しているため多少の衝撃が加わっても、付属品が溝から飛び出してしまう恐れが無い。それに加えて、外部から衝撃が加わった際には、格納ケース２がクッションとなり、付属品の溝からの飛び出しを防止することができる。
【００４５】
以上の（１）〜（３）のように本実施形態の携帯用小物入れ１では、柔軟性のある格納ケース２と剛性のある収容トレイ３との組み合わせにより、格納ケース２に対する収容トレイ３の出し入れが容易となる。また、押圧部材８に、収容トレイ３の持ち手部１１が嵌る凹部９を設けたことにより、収容トレイ３を保持する力を高めることができる。さらに、外部から衝撃を受けた際にも、格納ケース２がクッションとなり付属品が収容トレイより飛び出すことを防止し、付属品を安全に運ぶことができる携帯用小物入れを提供することができる。
【００４６】
［２．他の実施形態］
以上のように本発明の実施形態を説明したが、発明の要旨を逸脱しない範囲で、種々の省略、置き換え、変更を行うことができる。そして、この実施形態やその変形は、発明の範囲や要旨に含まれるとともに、特許請求の範囲に記載された発明とその均等の範囲に含まれる。
【００４７】
（１）第１の実施形態の載置部１０の位置や形状は、図９に限定されるものではない。載置部１０の溝の形状は、嵌めた付属品を固定できればよく、溝の形状を付属品の形状と一致させ、付属品を溝に密着させて嵌め込んでも良い。また、溝の形状を付属品の形状より若干大きくし、付属品と溝の間に遊びとなる間隔を設けても良い。これにより、溝から付属品を取り出しやすくなる。
【００４８】
また、付属品を溝に嵌め込む以外の方法で載置部１０に載置することもできる。例えば、複数の付属品を収容可能な凹部を設け、その中に付属品を収容しても良い。また、この凹部に開閉可能な蓋を設けることもできる。
【００４９】
（２）本実施形態では、同じ高さの収容トレイ３を３つの重ね、その収容トレイ３を格納することで押圧部材８を弾性変形させたが、重ね合わせる収容トレイ３の数や大きさはこれに限らない。例えば、格納することで押圧部材８を弾性変形させることができる高さがあれば、１つの収容トレイ３でも、異なる高さの収容トレイ３を複数重ねたものでも良い。
【００５０】
（３）第１の実施形態では、格納ケース２の形状を略直方体形状としたが、この形状に限定されるものではない。すなわち、格納する収容トレイ３を円筒形状とした場合には、格納ケース２を円筒形状とすることもできる。
【００５１】
（４）第１の実施形態では持ち手部分を１つとし、収容トレイ３の中心部分に設けたが、収容トレイ３の形状や大きさに寄っては、持ち手部分を２つ設けても良い。その場合、押圧部材８に設ける凹部９の数は、２つとする。
【００５２】
（５）収容トレイ３の横幅及び奥行の長さを、格納ケース２の内寸における横幅及び奥行より短くし遊びを設けたが、この遊びを０としても良い。遊びを０とした場合にでも、柔軟性のある格納ケースを伸縮させることで、収容トレイ３をスムーズに出し入れすることができる。
【００５３】
（６）押圧部材８を格納ケース２の蓋５に設けたが、押圧部材８は、蓋５より着脱可能な構成とする。格納する収容トレイ３の高さに合わせて厚さの違う押圧部材８を用いることで、高さが異なる収容トレイ３を格納した場合にでも、確実に収容トレイ３を保持することができる。
【符号の説明】
【００５４】
１  …  携帯用小物入れ
２  …  格納ケース
３  …  収容トレイ
４  …  持ち手
５  …  蓋
６  …  線ファスナー
７  …  スライダー
８  …  押圧部材
９  …  凹部
１０  …  載置部
１１  …  持ち手部分
１２  …  支持部
１３  …  段差
１４  …  垂直壁
１５  …  底面
【図１】
2015084904.tif 000003
【図２】
2015084904.tif 000004
【図３】
2015084904.tif 000005
【図４】
2015084904.tif 000006
【図５】
2015084904.tif 000007
【図６】
2015084904.tif 000008
【図７】
2015084904.tif 000009
【図８】
2015084904.tif 000010
【図９】
2015084904.tif 000011
【図１０】
2015084904.tif 000012
【図１１】
2015084904.tif 000013
【図１２】
2015084904.tif 000014
【図１３】
2015084904.tif 000015